(57)【要約】【課題】媒体カセット内の媒体を別のサイズの媒体に交換した場合に、操作パネルでの設定変更忘れにより、実際に装填されている媒体サイズと画像形成装置に設定されている媒体サイズが異なることになり、印刷動作後にサイズエラーが発生する。【解決手段】媒体カセット１０２の着脱を検出するカセット着脱検出部１１４と、媒体のサイズを設定する操作パネル１０５と、カセット着脱検出部１１４と操作パネル１０５に基づいて媒体のサイズの設定がされたか否かを判定する設定変更有無判定部１１５と、判定記憶部１１６とを有し、ホスト２０１から印刷要求があった場合、判定記憶部１１６から前記判定結果を読出し、媒体のサイズの設定がなされていないときに、ホスト２０１に確認を促すメッセージを送信する。【選択図】    図２
2009226665.tif 000002
【特許請求の範囲】
【請求項１】
複数の種類の媒体を収容し、夫々の媒体を繰り出し可能とする媒体収容部から媒体を繰り出して印刷を行なう画像形成装置において、
前記媒体収容部の媒体が繰り出し可能又は不可能になったことを検出する検出手段と、
媒体情報を設定する媒体情報設定手段と、
前記検出手段及び前記媒体情報設定手段に基づいて前記媒体情報の設定がなされたか否かを判定する変更有無判定手段と、
前記変更有無判定手段による判定結果を記憶する記憶手段と、
上位装置から印刷要求があった場合、前記記憶手段から前記判定結果を読出し、当該判定結果は前記媒体情報の設定がなされていないときに、上位装置へ所定のメッセージを送信する送信制御部とを具備することを特徴とする画像形成装置。
【請求項２】
前記媒体収容部は、装置本体に対して着脱可能な媒体カセットであり、前記検出手段は前記媒体カセットの装置本体への着脱を検出するセンサである請求項1記載の画像形成装置。
【請求項３】
前記媒体収容部は、手差し用媒体を載置するトレイであり、前記検出手段は前記トレイ上に載置された媒体の有無を検出するセンサである請求項1記載の画像形成装置。
【発明の詳細な説明】
【技術分野】
【０００１】
本発明は、複数サイズの媒体を収容可能な媒体収容部を具備し、該媒体収容部から媒体を繰り出して印刷を行なう画像形成装置に関する。
【背景技術】
【０００２】
従来、複数サイズの媒体に印刷可能な画像形成装置においては、ユーザは自分の使用したい媒体サイズの設定は操作パネルを操作して行なっている。ユーザが媒体サイズを設定する場合は、操作パネルの表示部に複数の媒体サイズの選択画面が表示されるので、ユーザは表示された複数の媒体サイズの中から自分の使用する媒体サイズを選択することにより設定するようにしている。このような媒体サイズ設定を開示する特許文献として、例えば、特開平６―３５２８２号公報が挙げられる。
【特許文献１】特開平６―３５２８２号公報
【発明の開示】
【発明が解決しようとする課題】
【０００３】
しかしながら、上記従来の画像形成装置における媒体の交換作業は、ユーザが媒体を収容する媒体カセットを取外し、当該媒体カセット内の媒体を別のサイズの媒体に交換し、当該媒体カセットを装着することにより行われる。このような媒体の交換の場合に、新たに装填した媒体のサイズについて操作パネルで設定変更を忘れると、実際に装填されている媒体サイズと画像形成装置に設定されている媒体サイズが異なることになる。これを知らずにユーザがホストから印刷要求を送信すると、印刷動作時にサイズエラーが発生する。
【０００４】
一方、媒体の補充作業の場合は、当該媒体カセット内に同じサイズの媒体を補充するので、当該媒体カセットの装着後、操作パネルで補充した媒体のサイズの設定変更をしなくても、印刷動作時にサイズエラーが発生することはない。
【０００５】
しかしながら、従来の画像形成装置において、媒体カセットの取外しの後に装着があった場合、媒体の変更なのか媒体の補充なのかを検出していない。そのため、操作パネルで新たに装填した媒体のサイズの設定変更を忘れると、実際に装填されている媒体サイズと画像形成装置に設定されている媒体サイズが異なる可能性が生じる。その結果、印刷動作時にサイズエラーが発生する可能性が生じるという問題があった。
【０００６】
本発明はこのような問題点に鑑み、ユーザが異なるサイズ等の種類の媒体に交換した際に媒体の種類の設定変更を忘れた場合にも、サイズ等の種類のエラーの発生を防止することができる画像形成装置を提供することを目的とする。
【課題を解決するための手段】
【０００７】
上記課題を解決するための手段は、複数の種類の媒体を収容し、夫々の媒体を繰り出し可能とする媒体収容部から媒体を繰り出して印刷を行なう画像形成装置において、前記媒体収容部の媒体が繰り出し可能又は不可能になったことを検出する検出手段と、媒体情報を設定する媒体情報設定手段と、前記検出手段及び前記媒体情報設定手段に基づいて前記媒体情報の設定がなされたか否かを判定する変更有無判定手段と、前記変更有無判定手段による判定結果を記憶する記憶手段と、上位装置から印刷要求があった場合、前記記憶手段から前記判定結果を読出し、当該判定結果は前記媒体情報の設定がなされていないときに、上位装置へ所定のメッセージを送信する送信制御部とを具備するものである。
【発明の効果】
【０００８】
本発明によれば、媒体収容部内の媒体のサイズ等の種類が変更された可能性があるにもかかわらず、媒体サイズ等の種類の設定がなされていない場合を判定する。その後、ホスト２０１に対し印刷時に通知され、ユーザは媒体Ｐのサイズ等の種類を確認すべきであることが分かる。よって、実際に媒体Ｐのサイズ等の種類と装置上のサイズ等の種類の設定が異なっている場合に、サイズ等の種類のエラーを引き起こしてしまうことがない。その結果、サイズ等の種類のエラーに起因する煩雑なリカバリ作業を未然に防止することができるという効果が得られる。
【発明を実施するための最良の形態】
【０００９】
（第１の実施の形態）
以下、本発明の実施の形態を図面に従って説明する。なお、各図面に共通する要素には同一の符号を付す。図１は本発明の第１の実施の形態の画像形成装置１０１を示す外観斜視図、図２は第１の実施の形態の画像形成装置１０１を示すブロック図である。
【００１０】
図１において、第１の実施の形態の画像形成装置１０１は媒体収容部である媒体カセット１０２が着脱可能になっている。媒体カセット１０２は複数サイズの媒体Ｐを収容可能である。当該媒体カセットが装着されると所定のサイズの媒体Ｐは繰り出し可能となり、当該媒体カセットが抜き出されると媒体Ｐは繰り出し不可能となる。画像形成装置１０１のカセット装着部には媒体カセット１０２の着脱有無を検出するカセットセンサ１０３が設けられている。画像形成装置１０１の内部には図示しない画像形成部が内蔵され、ここで媒体Ｐに対して印刷が行われる。画像形成装置１０１の上部には印刷された媒体Ｐが排出される排紙部１０４が形成され、また前方上部には後述する操作パネル１０５が設けられている。
【００１１】
図２において、画像形成装置１０１には、受信制御部１１１、操作パネル制御部１１２、設定記憶部１１３、カセット着脱検出部１１４、設定変更有無判定部１１５、判定記憶部１１６、送信制御部１１７、印刷制御部１１８および図示しない制御部が設けられている。
【００１２】
受信制御部１１１は、ホスト２０１から印刷画像データおよび媒体情報を含む印刷要求を受信する。操作パネル制御部１１２は、図3の説明において後述する操作パネル１０５の表示部１０６への表示出力を制御するとともに、メニュー選択キー１０７ａ、１０７ｂや設定キー１０８等のキー押下を検出する。設定記憶部１１３は、前記操作パネル制御部１１２が設定キー１０８の押下により決定される設定情報を記憶する。カセット着脱検出部１１４は、前記カセットセンサ１０３により媒体カセット１０２の着脱を検出する。
【００１３】
設定変更有無判定部１１５は、設定記憶部１１３に記憶されている設定情報に変更があったか、或いはカセット着脱検出部１１４による媒体カセット１０２の装着の検出により前記設定情報が無効になったか否かを判定する。判定記憶部１１６は設定変更有無判定部１１５の判定結果を記憶する。送信制御部１１７は判定記憶部１１６から判定結果を読出し、ホスト２０１に通知を行なう。また、印刷制御部１１８は受信制御部１１１からの指示により、前記設定記憶部１１３に格納された設定情報に基づいて上述した画像形成部の印刷動作を制御する。なお、前記受信制御部１１１、操作パネル制御部１１２、送信制御部１１７、印刷制御部１１８以外の各種制御は、図示しない制御部が行なう。
【００１４】
図３は操作パネル１０５を示す説明図である。操作パネル１０５には、媒体カセット１０２の番号及び設定される媒体サイズを表示する表示部１０６、サイズ変更メニュー等のメニュー選択を行なうメニュー選択キー１０７a、１０７ｂ、選択を決定するための設定キー１０８および戻りキー１０９などが設けられている。このうち設定キー１０８が媒体サイズ等を決定するためのキーである。当該設定キー１０８の押下により表示部１０６に表示された媒体サイズ等が設定情報として決定され、前記設定記憶部１１３によって記憶される。
【００１５】
次に第１の実施の形態の動作を説明する。まず図４に示すフローチャートに従って、媒体カセット１０２を操作した場合の動作を説明する。図４は媒体カセット１０２を操作する場合の動作を示すフローチャートである。
【００１６】
まず、ユーザは媒体Ｐの交換又は補充のために媒体カセット１０２の着脱を行なう。カセット着脱検出部１１４はカセットセンサ１０３により媒体カセット１０２の着脱変化を検知する（Ｓ１０１）。検知の結果、変化がない場合は処理を終了し、変化がある場合は、設定変更有無判定部１１５により、媒体カセット１０２が「なし→あり」と変化したかどうか、即ち、媒体カセット１０２が着脱され、媒体Ｐが繰り出し可能又は不可能となったかを判定する（Ｓ１０２）。
【００１７】
当該変化が「あり→なし」の変化である場合、即ち、装着されていた媒体カセット１０２が取り外され、媒体Ｐが繰り出し不可能となった場合は処理を終了する。一方当該変化が「なし→あり」の変化である場合、即ち、外されていた媒体カセット１０２が装着され、媒体Ｐが繰り出し可能となった場合、設定変更有無判定部１１５は、予め設定されていた設定情報が無効になったことを意味する「設定変更なし」と判定する。即ち、ユーザが操作パネル１０５によって所定のサイズの媒体を設定していないからであり、これにより、判定記憶部１１６における設定変更有無情報を「設定変更なし」に更新する（Ｓ１０３）。
【００１８】
次に操作パネル１０５によって媒体サイズを設定する場合について図５に示すフローチャートに従って説明する。図５は操作パネル１０５によって媒体サイズを設定する場合のフローチャートである。
【００１９】
まず、ユーザは媒体Ｐの交換又は補充を行なった後、媒体カセット１０２の装着を行なう。そして、前記操作パネル１０５において、媒体サイズの設定、或いは設定済みサイズと同じサイズへの再設定を行った場合、即ち、ユーザがサイズ変更メニューにおいて、設定キー１０８の押下により、所望する媒体サイズを決定した場合、操作パネル制御部１１２はこれを検出する（Ｓ２０１）。前記設定記憶部１１３は、操作パネル制御部１１２が検出した媒体サイズを記憶する。そして、設定変更有無判定部１１５は当該設定が有効であることを意味する「設定変更あり」と判定し、図示しない制御部は判定記憶部１１６における設定変更有無情報を「設定変更あり」に更新する(Ｓ２０２)。
【００２０】
次にホスト２０１から印刷要求がある場合の動作を説明する。図６は、ホスト２０１から印刷要求がある場合の画像形成装置１０１の動作を示すフローチャートである。受信制御部１１１がホスト２０１から印刷要求を受信すると(Ｓ３０１)、送信制御部１１７によって判定記憶部１１６の設定変更有無情報を読出し、図示しない制御部は設定変更有無情報に設定変更があるかどうか判断する（Ｓ３０２）。当該設定変更有無情報が「設定変更あり」の場合、前記印刷制御部１１８は上述した画像形成部を制御し、印刷動作を行なう(Ｓ３０５)。一方、判定記憶部１１６の設定変更有無情報が「設定変更なし」の場合は、前述の通り予め設定されていた設定情報が無効になったので、送信制御部１１７はホスト２０１に対し、媒体サイズの確認を促すメッセージ表示を要求する通知を送信する(Ｓ３０３)。
【００２１】
図７はホスト２０１に送信される確認メッセージである確認要求画面２１０を示す説明図である。図７に示す確認要求画面２１０のメッセージは、用紙が別のサイズに変更された可能性があるので、媒体サイズの確認を促すものである。
【００２２】
また、確認メッセージのほかに中止ボタン２１１と継続ボタン２１２が表示され、ユーザに対し印刷を中止するか又は継続するかを選択可能とするものである。ユーザが確認要求画面２１０における中止ボタン２１１又は継続ボタン２１２をクリックすると、ホスト２０１は画像形成装置１０１に通知し、受信制御部１１１は印刷中止又は印刷継続を判断する（Ｓ３０４）。
【００２３】
ユーザが確認要求画面２１０における中止ボタン２１１をクリックし、ホスト２０１から受信制御部１１１へ印刷中止要求が通知された場合は、受信制御部１１１は処理を終了する。一方、確認要求画面２１０における継続ボタン２１２がクリックされ、ホスト２０１から印刷継続要求が通知された場合は、受信制御部１１１は前記印刷制御部１１８を制御し、当該印刷制御部１１８は上述した画像形成部を制御することにより印刷動作を行なう(Ｓ３０５)。印刷動作の結果、サイズエラーが発生しなかった場合(Ｓ３０６)、設定変更有無判定部１１５を介して判定記憶部１１６における設定変更有無情報を「設定変更あり」に更新する（Ｓ３０７）。
【００２４】
以上の動作の全体を図８に示す。図８はユーザと、ホスト２０１と、画像形成装置１０１の動作の全体の流れを示すシーケンス図である。
【００２５】
画像形成装置１０１の初期状態として、判定記憶部１１６に記憶されている設定変更有無情報は「設定変更あり」である(Ｓ４０１)。次に、ユーザが媒体カセット１０２を装着すると(Ｓ４０２)、カセット着脱検出部１１４によりカセット装着が検知され(Ｓ４０３)、そうすると、設定変更有無判定部１１５は前述の通り予め設定されていた設定情報が無効を意味する「設定変更なし」と判定し、図示しない制御部は判定記憶部１１６の設定変更有無情報を「設定変更なし」に更新する(Ｓ４０４)。
【００２６】
次に、ユーザが印刷指示を行なうと(Ｓ４０５)、即ち、ホスト２０１から印刷要求が送信されると(Ｓ４０６)、受信制御部１１１を介して送信制御部１１７が判定記憶部１１６の設定変更有無情報を読出し、設定変更有無情報が「設定変更なし」であるためにホスト２０１へ確認メッセージ表示要求の通知を行い(Ｓ４０７)、ホスト２０１に図７に示す確認要求画面２１０が表示される(Ｓ４０８)。
【００２７】
ユーザが印刷継続指示(Ｓ４０９)のため図７に示す確認要求画面２１０における継続ボタン２１２をクリックすると、ホスト２０１から再度印刷要求が送信され(Ｓ４１０)、印刷動作が行われる(Ｓ４１１)。サイズエラーが発生することなく印刷が完了すると、印刷制御部１１８は設定変更有無判定部１１５を介して判定記憶部１１６の設定変更有無情報を「設定変更あり」に更新する(Ｓ４１２)。
【００２８】
その後、再度ユーザが印刷指示を行なう(Ｓ４１３)、即ち、ホスト２０１から印刷要求が送信される(Ｓ４１４)と、設定変更有無情報が「設定変更あり」であるために、改めて確認要求を通知してユーザを煩わせることなく、印刷動作を行なう(Ｓ４１５)。
【００２９】
なお、前記ステップ１０３及びステップ４０４において、媒体カセット１０２の装着を検知した後に、設定変更有無判定部１１５は、設定情報が無効を意味する「設定変更なし」と判定したが、これに限らず、「設定変更リセット」と判定しても意味は同じである。
【００３０】
以上のように、第１の実施の形態によれば、媒体カセット１０２内の媒体Ｐのサイズが変更された可能性があるにもかかわらず、媒体サイズ設定がなされていない場合に、ホスト２０１に対し印刷時に通知され、ユーザは媒体Ｐのサイズを確認すべきであることが分かる。よって、実際に媒体Ｐのサイズと装置上のサイズ設定が異なっている場合にサイズエラーを引き起こしてしまうことがない。その結果、サイズエラーに起因する煩雑なリカバリ作業を未然に防止することができるという効果が得られる。
【００３１】
（第２の実施の形態）
図９は本発明の第２の実施の形態の画像形成装置を示す外観斜視図、図１０は第２の実施の形態の画像形成装置を示すブロック図である。
【００３２】
図９に示すように第２の実施の形態の画像形成装置４０１には、媒体収容部である給紙トレイ４０２が具備されている。給紙トレイ４０２は複数サイズの媒体Ｐを載置可能である。画像形成装置４０１の前方には給紙トレイ４０２上の媒体Ｐの有無を検出する媒体センサ４０３が設けられている。画像形成装置４０１の内部には図示しない画像形成部が内蔵され、ここで媒体Ｐに対して印刷が行われる。画像形成装置４０１の上部には印刷された媒体Ｐが排出される排紙部１０４が形成され、また前方上部には操作パネル１０５が設けられている。操作パネル１０５の構成は図３に示す前記第１の実施の形態の操作パネル１０５と同様であり、その説明は前記第１の実施の形態の説明を援用する。
【００３３】
図１０において、画像形成装置４０１には、受信制御部４１１、操作パネル制御部４１２、設定記憶部４１３、媒体有無検出部４１４、設定変更有無判定部４１５、判定記憶部４１６、送信制御部４１７および印刷制御部４１８が設けられている。
【００３４】
受信制御部４１１は、ホスト５０１から印刷画像データおよび媒体情報を含む印刷要求を受信する。操作パネル制御部４１２は、図３に示す操作パネル１０５の表示部１０６への表示出力を制御するとともに、メニュー選択キー１０７ａ、１０７ｂや設定キー１０８等のキー押下を検出する。設定記憶部４１３は、操作パネル制御部４１２が設定キー１０８の押下を検出することにより決定される設定情報を記憶する。媒体有無検出部４１４は、媒体センサ４０３により給紙トレイ４０２上の媒体Ｐの有無を検出する。
【００３５】
設定変更有無判定部４１５は、設定記憶部４１３に記憶されている設定情報に変更があったか、或いは媒体有無検出部４１４による媒体有の検出により前記設定情報が無効になったか否かを判定する。判定記憶部４１６は設定変更有無判定部４１５の判定結果を記憶する。送信制御部４１７は判定記憶部４１６から判定結果を読出し、ホスト５０１に通知を行なう。また印刷制御部４１８は受信制御部４１１からの指示により、前記設定記憶部４１３に格納された設定情報に基づいて上述した画像形成部の印刷動作を制御する。なお、前記受信制御部４１１、操作パネル制御部４１２、送信制御部４１７、印刷制御部４１８以外の各種制御は、図示しない制御部が行なう。
【００３６】
次に第２の実施の形態の動作を説明する。まず図１１のフローチャートに従って給紙トレイ４０２上の媒体を操作する場合の動作を説明する。図１１は給紙トレイ上の媒体を操作する場合の動作を示すフローチャートである。
【００３７】
まずユーザは媒体Ｐの交換又は補充のために給紙トレイ４０２上の媒体Ｐを除去又は載置する。媒体有無検出部４１４は、前記媒体センサ４０３により給紙トレイ４０２上の媒体Ｐの有無変化を検知する（Ｓ５０１）。検知の結果、変化がない場合は処理を終了し、変化がある場合は、設定変更有無判定部４１５により、給紙トレイ４０２上に媒体Ｐが「なし→あり」に変化したかどうか、即ち、給紙トレイ上の媒体Ｐが繰り出し可能又は不可能となったかどうかを判定する（Ｓ５０２）。
【００３８】
判定の結果、当該変化が「あり→なし」の変化である場合、即ち、給紙トレイ４０２上の媒体Ｐが除去され、媒体Ｐが繰り出し不可能となった場合は処理を終了する。一方、当該変化が「なし→あり」の変化である場合、即ち給紙トレイ４０２上に媒体Ｐが載置され、媒体Ｐが繰り出し可能となった場合は、設定変更有無判定部４１５は予め設定されていた設定情報が無効になったことを意味する「設定変更なし」と判定する。即ち、ユーザが操作パネル１０５によって所定のサイズの媒体を設定していないからであり、これにより判定記憶部４１６における設定変更有無情報を「設定変更なし」に更新する（Ｓ５０３）。
【００３９】
次に操作パネル１０５によって媒体サイズを設定する場合について説明する。図１２は操作パネル１０５によって媒体サイズを設定する場合のフローチャートである。まず、ユーザは給紙トレイ４０２上の媒体Ｐの交換又は補充を行なう。その後、前記図３に示す操作パネル１０５において、媒体サイズの設定、或いは設定済みサイズと同サイズへの再設定を行った場合、即ち、ユーザがサイズ変更メニューにおいて設定キー１０８を押下することにより所望するサイズを決定した場合、操作パネル制御部４１２はこれを検出する（Ｓ６０１）。前記設定記憶部４１３は、操作パネル制御部４１２が検出した媒体サイズを記憶する。そして、設定変更有無判定部４１５は当該設定が有効であることを意味する「設定変更あり」と判定し、図示しない制御部は、判定記憶部４１６における設定変更有無情報を「設定変更あり」に更新する(Ｓ６０２)。
【００４０】
次にホスト５０１から印刷要求があった場合の動作を説明する。図１３はホスト５０１から印刷要求がある場合の動作を示すフローチャートである。受信制御部４１１がホスト５０１から印刷要求を受信すると(Ｓ７０１)、送信制御部４１７によって判定記憶部４１６の前記設定変更有無情報を読出し、図示しない制御部は設定変更有無情報に設定変更があるかどうか判断する（Ｓ７０２）。当該設定変更有無情報が「設定変更あり」の場合、前記印刷制御部４１８は上述した画像形成部を制御し、印刷動作を行なう（Ｓ７０５）。
【００４１】
一方、判定記憶部４１６の設定変更有無情報が「設定変更なし」の場合、前述の通り予め設定されていた設定情報が無効になったので、送信制御部４１７はホスト５０１に対し、媒体サイズの確認を促すメッセージ表示を要求する通知を送信する(Ｓ７０３)。ユーザが図７に示す確認要求画面２１０における中止ボタン２１１又は継続ボタン２１２をクリックすると、ホスト２０１は画像形成装置１０１に通知し、受信制御部１１１は印刷中止又は印刷継続を判断する（Ｓ３０４）。
【００４２】
ユーザが確認要求画面２１０における中止ボタン２１１をクリックし、ホスト５０１から受信制御部４１１へ印刷中止要求が通知された場合は、受信制御部４１１は処理を終了する。一方確認要求画面２１０における継続ボタン２１２がクリックされ、ホスト５０１から印刷継続要求が通知された場合は、受信制御部４１１は前記印刷制御部４１８を制御し、当該印刷制御部４１８は上述した画像形成部を制御することにより印刷動作を行なう(Ｓ７０５)。印刷動作の結果、サイズエラーが発生しなかった場合(Ｓ７０６)、設定変更有無判定部４１５を介して判定記憶部４１６における前記設定変更有無情報を「設定変更あり」に更新する。
【００４３】
以上の動作の全体を図１４に示す。図１４は第２の実施の形態におけるユーザと、ホスト５０１と、画像形成装置４０１の動作の全体の流れを示すシーケンス図である。画像形成装置４０１の初期状態として、判定記憶部４１６に記憶されている前記設定変更有無情報は「設定変更あり」である(Ｓ８０１)。次に、ユーザが給紙トレイ４０２上に媒体Ｐを載置すると(Ｓ８０２)、媒体有無検出部４１４が媒体Ｐの「有」を検知する(Ｓ８０３)。媒体有無検出部４１４が媒体Ｐを検知すると、前記図１１のステップ５０３に示したように、設定変更有無判定部４１５は予め設定されていた設定情報が無効を意味する「設定変更なし」と判定する。そして、図示しない制御部は、判定記憶部４１６の設定変更有無情報を「設定変更なし」に更新する(Ｓ８０４)。
【００４４】
その後、ユーザが印刷指示を行なうと(Ｓ８０５)、ホスト５０１は印刷要求を送信する(Ｓ８０６)。受信制御部４１１がこれを受信すると、送信制御部４１７は判定記憶部４１６の前記設定変更有無情報を読出し、設定変更有無情報が「設定変更なし」の確認メッセージ表示要求の通知をホスト５０１へ行なう(Ｓ８０７)。そうすると、ホスト５０１は図７に示す確認要求画面２１０を表示する(Ｓ８０８)。
【００４５】
ユーザが印刷継続指示(Ｓ８０９)のために、図７に示す継続ボタン２１２をクリックすると、ホスト５０１から再度印刷要求が送信され(Ｓ８１０)、印刷動作が行われる(Ｓ８１１)。サイズエラーが発生することなく印刷が完了すると、印刷制御部４１８は設定変更有無判定部４１５を介して判定記憶部４１６の設定変更有無情報を「設定変更あり」に更新する(Ｓ８１２)。その後、再度ユーザが印刷指示を行なう(Ｓ８１３)、即ち、ホスト５０１から印刷要求が送信される(Ｓ８１４)と、設定変更有無情報が「設定変更あり」であるために、改めて確認要求を通知してユーザを煩わせることなく、印刷動作を行なう(Ｓ８１５)。
【００４６】
なお、前記ステップ５０３及びステップ８０４において、媒体Ｐの「有」を検知した後に、設定変更有無判定部４１５は、設定情報が無効を意味する「設定変更なし」と判定したが、これに限らず、「設定変更リセット」と判定しても意味は同じである。
【００４７】
以上のように、第２の実施の形態によれば、給紙トレイ４０２上の媒体Ｐのサイズが変更された可能性があるにもかかわらず、媒体サイズ設定がなされていない場合に、ホスト５０１上で印刷時に通知され、ユーザは媒体Ｐのサイズを確認すべきであることが分かる。よって、実際に媒体Ｐのサイズと装置上のサイズ設定が異なっている場合にサイズエラーを引き起こしてしまうことがない。その結果、サイズエラーに起因する煩雑なリカバリ作業を未然に防止することができるという効果が得られる。
【００４８】
上記第１、第２の実施の形態においては、画像形成装置としてプリンタを例にして説明したが、本発明は画像形成装置としてファクシミリ装置或いはコピー機能を有する複合機にも適用可能である。
【図面の簡単な説明】
【００４９】
【図１】第１の実施の形態の画像形成装置を示す外観斜視図である。
【図２】第１の実施の形態の画像形成装置を示すブロック図である。
【図３】操作パネルを示す説明図である。
【図４】第１の実施の形態において媒体カセットを操作する場合の動作を示すフローチャートである。
【図５】第１の実施の形態において媒体サイズを設定する場合のフローチャートである。
【図６】第１の実施の形態における印刷要求を行なう場合の動作を示すフローチャートである。
【図７】ホストに送信される確認メッセージの確認要求画面を示す説明図である。
【図８】第１の実施の形態におけるユーザとホストと画像形成装置の動作の全体の流れを示すシーケンス図である。
【図９】第２の実施の形態の画像形成装置を示す外観斜視図である。
【図１０】第２の実施の形態の画像形成装置を示すブロック図である。
【図１１】第２の実施の形態において給紙トレイ上の媒体を操作する場合の動作を示すフローチャートである。
【図１２】第２の実施の形態において媒体サイズを設定する場合のフローチャートである。
【図１３】第２の実施の形態における印刷要求を行なう場合の動作を示すフローチャートである。
【図１４】第２の実施の形態におけるユーザとホストと画像形成装置の動作の全体の流れを示すシーケンス図である。
【符号の説明】
【００５０】
１０１      画像形成装置
１０２      媒体カセット
１０３      カセットセンサ
１１２      操作パネル制御部
１１３      設定記憶部
１１４      カセット着脱検出部
１１５      設定変更有無判定部
１１６      判定記憶部
【図１】
2009226665.tif 000003
【図２】
2009226665.tif 000004
【図３】
2009226665.tif 000005
【図４】
2009226665.tif 000006
【図５】
2009226665.tif 000007
【図６】
2009226665.tif 000008
【図７】
2009226665.tif 000009
【図８】
2009226665.tif 000010
【図９】
2009226665.tif 000011
【図１０】
2009226665.tif 000012
【図１１】
2009226665.tif 000013
【図１２】
2009226665.tif 000014
【図１３】
2009226665.tif 000015
【図１４】
2009226665.tif 000016